(57)【要約】【課題】複数の電子機器の中から所定の電子機器を優先的に接続させる。【解決手段】電子機器１に対して他の電子機器を初めて接続する場合、所定範囲内の電子機器との接続処理が開始され、接続した電子機器から機器情報を取得する。そして、ユーザがプリセットボタン４１を所定時間以上押すことにより、プリセットボタン４１に機器情報が対応付けられてＥＥＰＲＯＭ２２に格納される。電子機器を再度接続する場合、接続したい電子機器が登録されているプリセットボタン４１を押して電子機器を選択すると、プリセットボタン４１に対応付けられた機器情報がＥＥＰＲＯＭ２２から読み出され、機器情報に基づく電子機器の機器名称が表示部２４に表示される。そして、接続処理が開始され、接続中を示す表示が表示部２４に表示される。接続が成功した場合には、表示部２４に接続完了を示す表示が表示される。【選択図】図６
2008124776.tif 000002
【特許請求の範囲】
【請求項１】
外部の電子機器と無線接続して通信を行う通信部と、
複数のボタンを備え、該ボタンの操作に応じた操作情報を生成する操作部と、
上記操作情報に基づき各部を制御し、上記外部の電子機器から該電子機器との接続に必要な情報である機器情報を取得する制御部と、
上記機器情報を格納する記憶部と、
上記機器情報に基づき上記外部の電子機器との接続状態や該電子機器の機器名称を表示する表示部と
を有し、
上記制御部は、
上記外部の電子機器と最初に接続する際に、接続された該電子機器から取得した上記機器情報と上記操作部に設けられた所定のボタンとを対応付け、
上記外部の電子機器と再度接続する際に、上記操作部の操作されたボタンに対応付けられた上記機器情報を上記記憶部から読み出し、
上記機器情報に対応する上記外部の電子機器との接続処理を行う
ことを特徴とする電子機器。
【請求項２】
請求項１に記載の電子機器において、
上記通信部は、
Ｂｌｕｅｔｏｏｔｈによる通信方式に基づき通信を行う
ことを特徴とする電子機器。
【請求項３】
請求項２に記載の電子機器において、
上記機器情報は、
外部の電子機器の識別に用いられるＩＤおよび上記外部の電子機器の認証に用いられるパスコードを含む
ことを特徴とする電子機器。
【請求項４】
請求項１に記載の電子機器において、
上記操作部に設けられたボタンは、ラジオチューナの所定周波数を登録するプリセットボタンである
ことを特徴とする電子機器。
【発明の詳細な説明】
【技術分野】
【０００１】
この発明は、外部の電子機器と無線接続し、通信を行う電子機器に関する。
【背景技術】
【０００２】
近年、複数の電子機器を接続して各種データのやりとりを行う通信方式として、従来の有線接続による通信方式に加えて、無線接続による通信方式が急速に普及してきている。無線接続では、接続する一方の電子機器と他方の電子機器との間に障害物があった場合でも、通信を行うことができ、複数の電子機器間の配線が不要であるという特徴がある。このような無線通信方式としては、例えば、Ｂｌｕｅｔｏｏｔｈ（登録商標）や無線ＬＡＮ（Local Area Network）などの無線通信方式が規格化されている。
【０００３】
Ｂｌｕｅｔｏｏｔｈによる無線通信方式を用いて複数の電子機器を接続する場合には、例えば、複数の電子機器のうち、１つの電子機器がネットワークを制御しながら通信を行うマスター機器となり、それ以外の電子機器がマスター機器による制御を受けて通信を行うスレーブ機器となり、マスター機器とスレーブ機器との間で通信を行うようになっている。
【０００４】
例えば、下記の特許文献１に記載されているように、Ｂｌｕｅｔｏｏｔｈにおいて、マスター機器とスレーブ機器とを接続する場合、マスター機器は、所定の距離の範囲内に存在するスレーブ機器を探索し、接続可能なスレーブ機器を発見すると自動的または半自動的に接続を行い、同時に複数のスレーブ機器と接続して各種データのやりとりを行うことができる。
【０００５】
このとき、マスター機器は、無線接続されたスレーブ機器の機器名称等の機器情報を、マスター機器のメモリに記憶しておく。このように、以前に接続したことがある全てのスレーブ機器の機器情報を記憶しておくことにより、以前接続したスレーブ機器を再度接続する場合に、記憶された機器情報に基づきマスター機器とスレーブ機器とを容易に接続することができる。
【０００６】
そして、マスター機器が、表示領域が広く、多数の情報を表示可能な表示部を備えている場合には、接続可能なスレーブ機器の機器情報の一覧を表示部に表示し、ユーザは、一覧表示されたスレーブ機器の中から接続したいスレーブ機器を選択することにより、マスター機器とスレーブ機器とを接続することができる。
【０００７】
【特許文献１】特開２００６−１６６１１９号公報
【発明の開示】
【発明が解決しようとする課題】
【０００８】
ところで、上述の接続方法では、マスター機器が以前に接続したことがある全てのスレーブ機器の機器情報を保持するようにしているため、マスター機器に大容量のメモリを搭載する必要がある。しかしながら、このようなメモリを電子機器に搭載した場合、電子機器のコストが増加してしまう。そのため、例えば廉価な電子機器のように、コストを抑える必要がある電子機器の場合には、大容量のメモリを搭載することが困難である。
【０００９】
また、マスターとなる電子機器の中には、表示領域が小さく、例えば１行程度の表示しかできないような表示部を備えた電子機器や、ＬＥＤ等を点灯させて表示させるような表示部を備えた電子機器がある。このような電子機器をマスター機器とした場合には、接続可能な電子機器を一覧表示することができず、ユーザにとって接続状況の判断が困難であるという問題点があった。
【００１０】
さらに、マスター機器から所定の範囲内に接続可能な複数の電子機器が存在している場合、マスター機器は、電子機器の探索を行い、所定の範囲内に存在する電子機器に対して接続要求を送信し、最初に応答した電子機器と接続処理を開始するようになっている。そのため、マスター機器からの接続要求に対してユーザが接続したい電子機器以外の電子機器が最初に応答した場合、マスター機器は、応答があった電子機器との接続処理が完了するまで、他の電子機器との接続処理を行うことができないため、ユーザが接続したい電子機器の接続処理を開始するのに時間がかかってしまうという問題点があった。
【００１１】
上述の問題を解決するために、ユーザが接続したい電子機器を優先的に接続する方法として、マスター機器から所定の範囲内に存在する他の電子機器の電源をＯＦＦにするなどして、マスター機器から他の電子機器が認識できないようにする方法が考えられる。しかしながら、このように、ユーザが接続したい電子機器を優先的に接続する度に、いちいち他の電子機器の電源をＯＦＦにすることは、ユーザにとって非常に煩わしい。
【００１２】
また、マスター機器では、以前接続したい電子機器と優先的に接続するようサーチすることも可能である。しかしながら、この場合、マスター機器からの接続要求に対して応答した電子機器が、優先的に接続する電子機器であるか否かの判断を行う必要があるため、優先的に接続したい電子機器の接続が完了するまでに時間がかかってしまう。そのため、ユーザは、接続が完了するまでにストレスが生じてしまうおそれがある。
【００１３】
このように、従来は、ユーザが接続したい電子機器を簡単に指定して、マスター機器と電子機器とを優先的に接続する方法がなかった。
【００１４】
したがって、この発明の目的は、複数の接続可能な他の電子機器の中から所定の電子機器を優先的に接続することができる電子機器を提供することにある。
【課題を解決するための手段】
【００１５】
上述した課題を解決するために、この発明は、外部の電子機器と無線接続して通信を行う通信部と、複数のボタンを備え、該ボタンの操作に応じた操作情報を生成する操作部と、操作情報に基づき各部を制御し、外部の電子機器から該電子機器との接続に必要な情報である機器情報を取得する制御部と、機器情報を格納する記憶部と、機器情報に基づき外部の電子機器との接続状態や該電子機器の機器名称を表示する表示部とを有し、制御部は、外部の電子機器と最初に接続する際に、接続された該電子機器から取得した機器情報と操作部に設けられた所定のボタンとを対応付け、外部の電子機器と再度接続する際に、操作部の操作されたボタンに対応付けられた機器情報を記憶部から読み出し、機器情報に対応する外部の電子機器との接続処理を行うことを特徴とする電子機器である。
【００１６】
上述したように、この発明では、外部の電子機器と無線接続して通信を行う通信部と、複数のボタンを備え、該ボタンの操作に応じた操作情報を生成する操作部と、操作情報に基づき各部を制御し、外部の電子機器から該電子機器との接続に必要な情報である機器情報を取得する制御部と、機器情報を格納する記憶部と、機器情報に基づき外部の電子機器との接続状態や該電子機器の機器名称を表示する表示部とを有し、制御部は、外部の電子機器と最初に接続する際に、接続された該電子機器から取得した機器情報と操作部に設けられた所定のボタンとを対応付け、外部の電子機器と再度接続する際に、操作部の操作されたボタンに対応付けられた機器情報を記憶部から読み出し、機器情報に対応する外部の電子機器との接続処理を行うようにしているため、複数の外部の電子機器のうち、ユーザによって操作されたボタンに対応付けられた電子機器との接続が優先的に行われる。
【発明の効果】
【００１７】
この発明は、接続したい外部の電子機器を電子機器のボタンに予め対応付けておき、再度接続する際には、ユーザによって操作されたボタンに対応付けられた電子機器の接続処理を行うようにしているため、電子機器から所定の範囲内に他の電子機器が存在する場合においても、接続したい電子機器との接続処理を優先的に行うことができるという効果がある。
【発明を実施するための最良の形態】
【００１８】
以下、この発明の実施の一形態について説明する。この発明の実施の一形態では、複数の電子機器を無線接続する場合において、ネットワークを制御して通信を行うマスター機器に対して、マスター機器の制御より通信を行うスレーブ機器を接続する際に、予めスレーブ機器をマスター機器に登録しておき、マスター機器側で接続するスレーブ機器を指定することにより、接続したいスレーブ機器を優先的に接続するようにしている。この発明の実施の一形態では、無線接続による通信方式としてＢｌｕｅｔｏｏｔｈ（登録商標）を適用した場合について説明する。
【００１９】
先ず、Ｂｌｕｅｔｏｏｔｈについて、概略的に説明する。Ｂｌｕｅｔｏｏｔｈは、ＩＳＭ（Industrial Science and Medical）帯の周波数帯を用い、半径１０ｍ〜１００ｍ程度の範囲で通信を行うための無線通信方式である。Ｂｌｕｅｔｏｏｔｈでは、ピコネットとスキャッタネットと呼ばれる２種類の接続方式により、複数の電子機器を接続する。
【００２０】
ピコネットは、図１Ａに示すように、１台のマスター機器の周囲約１０ｍ以内の距離に、スレーブ機器を最大７台まで同時接続する接続方式である。ピコネットでは、マスター機器に対して複数のスレーブ機器が接続されるため、スレーブ機器間でのデータ等のやりとりは、マスター機器を介して行われる。スキャッタネットは、図１Ｂに示すように、このピコネット同士を連結して構成される接続方式であり、約１００ｍ程度の範囲で連結した無線接続を実現できる。
【００２１】
次に、マスター機器とスレーブ機器とをＢｌｕｅｔｏｏｔｈ接続する場合における、各機器の状態遷移について、図２を参照して説明する。マスター機器とスレーブ機器とをＢｌｕｅｔｏｏｔｈ接続する場合、マスター機器とスレーブ機器の状態は、「待ち受けフェーズ」、「接続確立フェーズ」、「接続フェーズ」および「低消費電力モード」の４つの状態に分類することができる。「待ち受けフェーズ」は、「待ち受け状態」から構成され、パケットの送受信が行われていない状態である。
【００２２】
「接続確立フェーズ」は、「問い合わせ状態」および「呼び出し状態」の２つの状態から構成されている。「問い合わせ状態」は、マスター機器が所定範囲内に存在するスレーブ機器を認識するために適用され、マスター機器がスレーブ機器との接続の可能性を問い合わせている状態である。
【００２３】
具体的には、先ず、マスター機器は、全てのスレーブ機器に対して、全ての機器で共有するコードで構成されたＩＱ（InQuiry）パケットを連続的に送信する。スレーブ機器は、ＩＱパケットを受信すると、所定時間経過後に同じＩＱパケットが送信されるのを待ってから、Ｂｌｕｅｔｏｏｔｈ機器や機器固有のアドレスであるＢＤ（Bluetooth Device）アドレス等を通知するためのパケットであるＦＨＳ（Frequency Hop Synchronization）パケットをマスター機器に対して送信する。
【００２４】
なお、スレーブ機器がＦＨＳパケットをすぐに送信しないのは、他のスレーブ機器から同時に送信されたＦＨＳパケットとの衝突を防ぐためである。このように、スレーブ機器からのＦＨＳパケットの送信タイミングをずらすことにより、マスター機器は、所定範囲内に存在する全てのスレーブ機器を認識することができる。
【００２５】
「呼び出し状態」は、マスター機器とスレーブ機器とを接続する際に適用される。具体的には、マスター機器は、呼び出したいスレーブ機器に対して、各機器のＢＤアドレスに基づき生成されたコードで構成されたＩＤ（IDentification）パケットを送信する。スレーブ機器は、ＩＤパケットを受信すると、受信応答としてマスター機器に対してＩＤパケットを送信する。マスター機器は、受信応答を確認すると、スレーブ機器に対してＦＨＳパケットを送信する。スレーブ機器は、ＦＨＳパケットを受信すると、受信応答としてマスター機器に対してＩＤパケットを送信する。このようにして、マスター機器とスレーブ機器との接続が確立される。
【００２６】
「接続フェーズ」は、「接続状態」および「データ転送状態」の２つの状態から構成されている。「接続状態」は、マスター機器とスレーブ機器との接続が確立され、制御パケットの送受信が可能な状態である。「データ転送状態」は、データパケットの送受信が可能な状態である。データパケットの送受信が完了して通信リンクが切断されると、機器は「待ち受け状態」に戻る。
【００２７】
「低消費電力モード」は、「パーク状態」、「ホールド状態」および「スニフ状態」の３つの状態から構成されている。「パーク状態」は、スレーブ機器のみが遷移することができる状態である。「パーク状態」では、パーク周期と呼ばれる所定時間の周期が設定され、このパーク周期でマスター機器からのパケットの受信を行い、ピコネットへの同期を保持している。スレーブ機器は、「パーク状態」において、マスター機器からのパケットの受信が可能であるが、マスター機器に対するパケットの送信ができない。
【００２８】
「ホールド状態」は、マスター機器およびスレーブ機器が遷移することができる状態である。「ホールド状態」では、ホールド周期と呼ばれる所定時間の周期が設定され、このホールド周期中、機器は送受信を行わず、ほとんど通信電力を消費しない低電力のスリープ状態となる。そして、ホールド周期後に通信が再開されるようになる。なお、「ホールド状態」中のマスター機器およびスレーブ機器は、他のピコネットに参加することもできる。
【００２９】
「スニフ状態」は、スレーブ機器のみが遷移することができる状態である。「スニフ状態」では、スニフ周期と呼ばれる所定時間の周期で送受信が行われ、送受信が行われない時間は、電力消費を抑えることができる。「スニフ状態」は、スレーブ機器毎に指定されるので、その他のスレーブ機器とは、通常の接続が可能である。
【００３０】
次に、Ｂｌｕｅｔｏｏｔｈにおけるプロファイルについて説明する。Ｂｌｕｅｔｏｏｔｈは、様々な電子機器での通信に使用することができるようにしているため、電子機器の機能に応じたプロファイルと呼ばれるプロトコルが策定されている。プロファイルには、電子機器に必ず搭載されているプロファイルと、それぞれの電子機器の機能に応じて搭載されるプロファイルとがあり、電子機器同士で通信を行う場合には、電子機器同士が同じプロファイルを有している必要がある。
【００３１】
電子機器に必ず搭載されているプロファイルとしては、例えば、ＧＡＰ（Generic Access Profile；汎用アクセス・プロファイル）やＳＤＡＰ（Service Discovery Application Profile；サービスディスカバリ・プロファイル）がある。ＧＡＰは、様々な電子機器を接続する際に始めに必要となるプロファイルであり、電子機器を接続する際に必要な電子機器の認識やセキュリティを確立する手順の設定などを行う。ＳＤＡＰは、他の機器が提供する機能の認識や確認を行う。
【００３２】
また、それぞれの電子機器の機能に応じて搭載されるプロファイルとしては、例えば、車内で携帯電話のハンズフリー通話を実現するためのＨＦＰ（Hands-Free Profile；ハンズフリー・プロファイル）や、音楽をレシーバ付きヘッドフォンや車載機器に伝送するためのＡ２ＤＰ（Advanced Audio Distribution Profile；高度音声配信プロファイル）がある。
【００３３】
次に、この発明の実施の一形態による電子機器１の一例の構成について、図３を参照して説明する。なお、以下では、マスター機器である電子機器１として車載機器を用いた場合を例にとって説明する。
【００３４】
電子機器１は、ラジオチューナ１１、ＣＤ（Compact Disc）モジュール１２、Ｂｌｕｅｔｏｏｔｈ（登録商標）モジュール１３、電子ボリューム１４、増幅部１５、制御部２１、ＥＥＰＲＯＭ（Electrically Erasable and Programmable Read Only Memory）２２、操作部２３および表示部２４を備える。また、電子機器１の前面には、操作パネル４０が設けられ、操作部２３として音源の切り替えや音量調節等の各種操作を行うための操作子と、表示部２４が設けられている。
【００３５】
ラジオチューナ１１には、外部に設けられたアンテナ３１が接続され、アンテナ３１で受信したＡＭ（Amplitude Modulation）放送やＦＭ（Frequency Modulation）放送等のラジオ放送の電波が供給される。ラジオチューナ１１は、所定の変調処理が施された電波に対して所定の復調処理を施して音声信号を取得する。得られた音声信号は、電子ボリューム１４に供給される。なお、アンテナ３１は、電子機器１の内部に設けられるようにしてもよい。
【００３６】
ＣＤモジュール１２は、ディスク状記録媒体３２からオーディオ信号を読み出し、読み出したオーディオ信号に対して所定の信号処理を施して音声信号を取得する。得られた音声信号は、電子ボリューム１４に供給される。
【００３７】
Ｂｌｕｅｔｏｏｔｈモジュール１３は、Ｂｌｕｅｔｏｏｔｈによる送受信が可能なモジュールであり、スレーブ機器としての外部のＢｌｕｅｔｏｏｔｈ機器に対するデータのやりとりを行う。Ｂｌｕｅｔｏｏｔｈモジュール１３には、図示しないが、アンテナ、受信部および送信部が内蔵されている。例えば、携帯電話のハンズフリー機能を用いて受話する場合や携帯型オーディオプレーヤから音楽データを受信する場合等、外部のＢｌｕｅｔｏｏｔｈ機器からデータを受信する場合、Ｂｌｕｅｔｏｏｔｈモジュール１３は、外部のＢｌｕｅｔｏｏｔｈ機器から送信された音声データや音楽データを内蔵されたアンテナで受信し、内蔵された受信部に供給する。そして、受信部において、音声データや音楽データに対して所定の信号処理を施すことによって音声信号を生成し、電子ボリューム１４に供給する。
【００３８】
また、例えば、携帯電話のハンズフリー機能を用いて送話する場合等、外部のＢｌｕｅｔｏｏｔｈ機器に対してデータを送信する場合、外部に接続されたマイクロフォン３３は、外部の音声を取得し、音声信号に変換する。変換された音声信号は、Ｂｌｕｅｔｏｏｔｈモジュール１３に供給される。Ｂｌｕｅｔｏｏｔｈモジュール１３は、内蔵された送信部において、マイクロフォン３３から供給された音声信号に対して所定の信号処理を施すことによって音声データを生成する。生成された音声データは、内蔵されたアンテナを介して外部のＢｌｕｅｔｏｏｔｈ機器に対して送信される。
【００３９】
電子ボリューム１４は、制御部２１の制御に基づき、ラジオチューナ１１、ＣＤモジュール１２およびＢｌｕｅｔｏｏｔｈモジュール１３のうちいずれかから供給された音声信号を増幅して音量を調節する。音量が調節された音声信号は、増幅部１５に供給される。増幅部１５は、電子ボリューム１４から供給された音声信号を所定に増幅し、スピーカ３４に供給する。スピーカ３４は、増幅部１５から供給された音声信号を外部に出力する。
【００４０】
操作部２３は、操作パネル４０に設けられたダイヤルキーや各種ボタン等の操作子からなり、例えば、ユーザが操作パネル４０の操作子を操作することにより、操作に応じた操作情報を生成し、生成された操作情報を制御部２１に供給する。操作情報には、例えば、音源情報や音量情報が含まれている。なお、操作パネル４０の詳細については後述する。
【００４１】
制御部２１は、ＣＰＵ(Central Processing Unit)、ＲＯＭ(Read Only Memory)およびＲＡＭ（Random Access Memory）などからなる。ＲＯＭは、ＣＰＵ上で動作されるプログラムや動作のために必要なデータが予め記憶される。ＲＡＭは、ＣＰＵのワークメモリとして用いられる。ＣＰＵは、ＲＯＭに記憶されたプログラムやデータを必要に応じて読み出し、ＲＡＭをワークメモリとして用いながら、この電子機器１の各部を制御する。
【００４２】
具体的には、例えば、制御部２１は、操作部２３から供給される操作情報に含まれる音源情報に基づき、ラジオチューナ１１、ＣＤモジュール１２およびＢｌｕｅｔｏｏｔｈモジュール１３のうち、再生する音源を選択し、選択された音源から音声信号を出力するように各部を制御する。また、例えば、制御部２１は、操作情報に含まれる音量情報に基づき電子ボリューム１４における音量調節を制御する。さらに、例えば、制御部２１は、ユーザによる操作部２３に対する操作に応じて、表示部２４の表示の制御を行う。
【００４３】
制御部２１は、例えば、電子機器１に対してＢｌｕｅｔｏｏｔｈ機器を新規に接続する場合、接続されたＢｌｕｅｔｏｏｔｈ機器を識別できる機器情報をＢｌｕｅｔｏｏｔｈ機器から受け取り、ＥＥＰＲＯＭ２２に格納する。また、制御部２１は、電子機器１に対して一度接続されたことがあるＢｌｕｅｔｏｏｔｈ機器を再度接続する場合、ＥＥＰＲＯＭ２２から機器情報を読み出し、機器情報に基づきＢｌｕｔｏｏｔｈモジュール１３を制御する。
【００４４】
また、例えば、音源としてラジオが選択された状態で、ユーザが操作パネル４０を操作して、所定の放送局を選択した場合、制御部は、ＥＥＰＲＯＭ２２に格納されている周波数情報を読み出し、周波数情報に基づき選択された放送局に対応する周波数の電波を受信するようにラジオチューナ１１を制御する。
【００４５】
ここで、機器情報は、Ｂｌｕｅｔｏｏｔｈ機器を識別できる情報であり、例えば、Ｂｌｕｅｔｏｏｔｈ機器の機器名称や、ＢＤアドレス、機器同士の接続の際に認証パスワードとして用いられるパスキー等の機器固有の情報である。この機器情報が、後述する操作パネル４０に設けられたプリセットボタンにそれぞれ対応付けられて記述されている。また、周波数情報は、ラジオ放送の各放送局を特定できる情報であり、例えば、各放送局の周波数がプリセットボタンにそれぞれ対応付けられて記述されている。
【００４６】
ＥＥＰＲＯＭ２２は、不揮発性メモリであり、Ｂｌｕｅｔｏｏｔｈ機器に関する情報である機器情報やラジオ放送の周波数情報といった各種データが格納される。そして、格納された機器情報や周波数情報が制御部２１からの要求に応じて読み出され、制御部２１に供給される。
【００４７】
なお、機器情報等の各種データの格納場所は、ＥＥＰＲＯＭ２２に限られない。例えば、制御部２１に設けられたＲＡＭやＲＯＭが、不揮発性のＲＡＭや電源が不要なフラッシュ型のＲＯＭである場合には、各種データをこのＲＡＭやＲＯＭに格納するようにしてもよい。
【００４８】
表示部２４は、操作パネル４０に設けられ、制御部２１による制御に基づき、ラジオの周波数やＣＤの再生時間、トラック番号、接続されたＢｌｕｅｔｏｏｔｈ機器の機器名称等の情報を表示する。また、表示部２４には、電子機器１とＢｌｕｅｔｏｏｔｈ機器との接続処理状態を示す情報が表示される。
【００４９】
操作パネル４０は、図４に示すように、操作子としてのダイヤルキーや各種ボタンからなる操作部２３および表示部２４を備える。なお、図４に示す各種ボタンは、この発明の実施の一形態と関連の深いものについてのみ図示し、その他のボタンについては、図示および説明を省略する。
【００５０】
プリセットボタン４１は、複数設けられており、ラジオの放送局を選択する場合や優先的に接続するＢｌｕｅｔｏｏｔｈ機器を選択する場合に用いられる。プリセットボタン４１には、放送局の周波数が対応付けられる。例えば、所定の放送局が選局された状態で、複数のプリセットボタン４１のうちいずれかのボタンを所定時間以上、例えば２秒以上押し続ける。こうすることにより、押されたプリセットボタン４１に対して、選択されている放送局の周波数が対応付けられる。そして、音源としてラジオが選択されている際に、所定のプリセットボタン４１を押すことにより、それぞれのボタンに対応する放送局が選択される。
【００５１】
また、この発明の実施の一形態では、プリセットボタン４１に対して、優先的に接続するＢｌｕｅｔｏｏｔｈ機器が対応付けられる。例えば、Ｂｌｕｅｔｏｏｔｈ機器を接続した状態で、複数のプリセットボタン４１のうちいずれかのボタンを所定時間以上、例えば２秒以上押し続ける。こうすることにより、押されたプリセットボタン４１に対して、接続されているＢｌｕｅｔｏｏｔｈ機器が対応付けられる。そして、Ｂｌｕｅｔｏｏｔｈ機器を再度接続する際に、このＢｌｕｅｔｏｏｔｈ機器が対応付けられているプリセットボタン４１を押すことにより、押されたプリセットボタン４１に対応付けられたＢｌｕｅｔｏｏｔｈ機器が優先的に接続される。
【００５２】
この例では、プリセットボタン４１が６つ設けられているため、ＦＭ放送およびＡＭ放送において、それぞれ最大で６つの放送局の周波数を対応付けることができる。また、同様にして、それぞれのプリセットボタン４１に対して最大で６つのＢｌｕｅｔｏｏｔｈ機器を対応付けることができる。
【００５３】
なお、この例では、プリセットボタン４１が６つあるように説明したが、これはこの例に限られず、周波数情報および機器情報を格納するＥＥＰＲＯＭ２２の容量や、操作子が配置される操作パネル４０の表面積等に応じてプリセットボタン４１の数を増減させてもよい。
【００５４】
ソースボタン４２は、音源を選択する際に用いられ、ソースボタンを１回押す毎に、音源が順番に切り替わるようになっている。例えば、ソースボタンを押す毎に、音源が「ＦＭ放送」、「ＡＭ放送」、「ＣＤ」、「Ｂｌｕｅｔｏｏｔｈ」の順に切り替わって選択される。
【００５５】
モードボタン４３は、Ｂｌｕｅｔｏｏｔｈ機器を接続する際に用いられる。例えば、「Ｂｌｕｅｔｏｏｔｈ」が選択されている場合において、モードボタン４３を所定時間以上、例えば２秒以上押し続けることにより、Ｂｌｕｅｔｏｏｔｈ機器の接続モードとなる。また、モードボタン４３は、選択された音源のモードを切り替える際に用いることもできる。例えば、音源として「ＣＤ」が選択されている場合に、モードボタン４３を押すと、順次再生やランダム再生、繰り返し再生等の再生方法を変更することができる。
【００５６】
ボリュームダイヤル４４は、音量を調節する際に用いられる。例えば、ボリュームダイヤル４４を時計回りに回すことにより音量が増大し、反時計回りに回すことにより音量が減少する。
【００５７】
なお、操作パネル４０に設けられた各種の操作子に割り当てられる動作は、上述の例に限られない。また、上述では、１つの操作子に対して操作子を押す時間によって複数の動作を割り当てるようにしているが、これはこの例に限られない。例えば、各動作に対してそれぞれ操作子を設けるようにしてもよい。
【００５８】
次に、この発明の実施の一形態による電子機器１に対してＢｌｕｅｔｏｏｔｈ機器を最初に接続する際の処理の流れについて、図５に示すフローチャートを参照して説明する。なお、以下では、特に断らない限り、処理が制御部２１で行われるものとする。
【００５９】
先ず、ステップＳ１１において、ユーザが操作パネルに設けられたソースボタン４２を押して音源を順番に切り替え、「Ｂｌｕｅｔｏｏｔｈ」を選択し、ステップＳ１２において、ユーザが操作パネルに設けられたモードボタン４３を所定時間以上押し続けることにより、電子機器１の所定範囲内に存在するＢｌｕｅｔｏｏｔｈ機器との接続処理が開始される。
【００６０】
ステップＳ１３では、電子機器１とＢｌｕｅｔｏｏｔｈ機器との接続が成功したか否かが判断される。接続が成功したと判断された場合には、処理がステップＳ１４に移行する。ステップＳ１４では、接続したＢｌｕｅｔｏｏｔｈ機器から機器名称およびＢＤアドレスを示す機器情報を取得する。そして、ステップＳ１５において、ユーザが操作パネルに設けられた複数のプリセットボタン４１うち、登録したいプリセットボタン４１を押すと、処理がステップＳ１６に移行する。
【００６１】
ステップＳ１６では、ＥＥＰＲＯＭ２２に格納された機器情報に基づき、登録したいプリセットボタン４１にＢｌｕｅｔｏｏｔｈ機器が登録されているか否かが判断される。登録したいプリセットボタン４１にＢｌｕｅｔｏｏｔｈ機器が未登録であると判断された場合には、処理がステップＳ１９に移行する。
【００６２】
一方、ステップＳ１６において、登録したいプリセットボタン４１にＢｌｕｅｔｏｏｔｈ機器が既に登録されている場合には、処理がステップＳ１７に移行し、ステップＳ１７で、登録したいプリセットボタン４１に既に対応付けられているＢｌｕｅｔｏｏｔｈ機器の機器情報に対して、ステップＳ１４で取得した機器情報を上書きするかどうかが判断される。機器情報を上書きする場合には、処理がステップＳ１９に移行する。一方、ステップＳ１７において、機器情報を上書きしない場合には、処理がステップＳ１８に移行し、ステップＳ１８において、ユーザは、別のプリセットボタン４１を押し、処理がステップＳ１６に戻る。
【００６３】
ステップＳ１９では、登録したいプリセットボタン４１を所定時間以上押し続け、ステップＳ２０で、登録したいプリセットボタン４１に取得した機器情報を対応付けて、機器情報をＥＥＰＲＯＭ２２に格納し、一連の処理が終了する。
【００６４】
また、ステップＳ１３において、電子機器１とＢｌｕｅｔｏｏｔｈ機器との接続が失敗したと判断された場合には、処理がステップＳ２１に移行する。ステップＳ２１では、電子機器１とＢｌｕｅｔｏｏｔｈ機器との接続を続行するか否かが判断される。接続を続行する場合には、処理がステップＳ１２に戻り、再度、接続処理が開始される。一方、接続を続行しない場合には、接続処理を終了し、一連の処理が終了する。
【００６５】
次に、この発明の実施の一形態による電子機器１に対してＢｌｕｅｔｏｏｔｈ機器を優先的に接続する際の処理の流れについて、図６に示すフローチャートを参照して説明する。先ず、ステップＳ３１において、ユーザが操作パネルに設けられたソースボタン４２を押して音源を順番にを切り替え、「Ｂｌｕｅｔｏｏｔｈ」を選択する。
【００６６】
ステップＳ３２において、ユーザが操作パネルのプリセットボタン４１のうち、接続したいＢｌｕｅｔｏｏｔｈ機器が登録されているプリセットボタン４１を押し、接続したいＢｌｕｅｔｏｏｔｈ機器を選択する。ステップＳ３３では、ステップＳ３２で押されたプリセットボタン４１に対応付けられたＢｌｕｅｔｏｏｔｈ機器の機器情報をＥＥＰＲＯＭ２２から読み出す。
【００６７】
ステップＳ３４において、表示部２４には、図７Ａに示すように、ＥＥＰＲＯＭ２２から読み出した機器情報に基づきＢｌｕｅｔｏｏｔｈ機器の機器名称「ＸＸＸＸＸＸＸＸ」が表示される。なお、押されたプリセットボタン４１にＢｌｕｅｔｏｏｔｈ機器が登録されていない場合、表示部２４には、図７Ｂに示すように、Ｂｌｕｅｔｏｏｔｈ機器が未登録であることを示す表示「−−−−−−−−」が表示される。そして、ステップＳ３５において、電子機器１と接続したいＢｌｕｅｔｏｏｔｈ機器との接続処理を開始し、表示部２４には、図７Ｃに示すように、接続中を示す表示「Ｃｏｎｎｅｃｔｉｎｇ」が表示される。
【００６８】
ステップＳ３６では、電子機器１と接続したいＢｌｕｅｔｏｏｔｈ機器との接続が成功したか否かが判断される。電子機器１と接続したいＢｌｕｅｔｏｏｔｈ機器との接続が成功したと判断された場合には、処理がステップＳ３７に移行する。ステップＳ３７において、表示部２４には、図７Ｄに示すように、電子機器１と接続したいＢｌｕｅｔｏｏｔｈ機器との接続が完了したことを示す表示「Ｃｏｎｎｅｃｔｅｄ」が表示され、ステップＳ３８において、接続されたＢｌｕｅｔｏｏｔｈ機器の機器名称が表示部２４に表示され、一連の処理が終了する。
【００６９】
一方、ステップＳ３６において、電子機器１と接続したいＢｌｕｅｔｏｏｔｈ機器との接続が失敗したと判断された場合には、処理がステップＳ３９に移行する。ステップＳ３９において、表示部２４には、図７Ｅに示すように、電子機器１と接続したいＢｌｕｅｔｏｏｔｈ機器との接続が失敗したことを示す表示「Ｃｏｎｎｅｃｔｅｄ  Ｆａｉｌｕｒｅ」が表示され、一連の処理が終了する。
【００７０】
なお、図７Ａ〜図７Ｅの、電子機器１とＢｌｕｅｔｏｏｔｈ機器との接続処理状態を示す表示は、一例であってこれに限られない。例えば、表示部２４に表示可能な文字数等により、適宜変更してもよい。
【００７１】
このように、この発明の実施の一形態では、接続したいＢｌｕｅｔｏｏｔｈ機器をプリセットボタン４１に予め対応付けておく。そして、以前接続したことがあるＢｌｕｅｔｏｏｔｈ機器を再度接続する際には、このＢｌｕｅｔｏｏｔｈ機器が対応付けられたプリセットボタン４１を押し、電子機器１とこのＢｌｕｅｔｏｏｔｈ機器との接続処理を行う。こうすることにより、電子機器１から所定の範囲内に他のＢｌｕｅｔｏｏｔｈ機器が存在する場合においても、このＢｌｕｅｔｏｏｔｈ機器との接続処理を優先的に行うことができる。
【００７２】
例えば、同じ形状や機能を有するＢｌｕｅｔｏｏｔｈ機器が複数ある場合には、電子機器１に予め登録していたＢｌｕｅｔｏｏｔｈ機器を優先的に接続することができるため、電子機器１が他のＢｌｕｅｔｏｏｔｈ機器と先に接続してしまうことや、接続したいＢｌｕｅｔｏｏｔｈ機器との接続に時間がかかってしまうということを防ぐことができる。
【００７３】
また、この発明の実施の一形態では、プリセットボタン４１の数だけ機器情報を保持することができるＥＥＰＲＯＭ２２を搭載するようにすればよいため、接続処理を行った全てのＢｌｕｅｔｏｏｔｈ機器の機器情報を保持するようにしている電子機器と比べて、電子機器１のコストを抑えることができる。
【００７４】
以上、この発明の実施の一形態について説明したが、この発明は、上述したこの発明の実施の一形態に限定されるものではなく、この発明の要旨を逸脱しない範囲内で様々な変形や応用が可能である。上述では、無線接続による通信方式として、Ｂｌｕｅｔｏｏｔｈを例にとって説明したが、これに限られず、例えば無線ＬＡＮ（Local Area Network）やＵＷＢ（Ultra Wide Band）を適用することも可能である。この場合、電子機器１には、Ｂｌｕｅｔｏｏｔｈモジュール１３の代わりに、それぞれの通信方式に対応するモジュールを搭載すればよい。
【００７５】
また、この発明の実施の一形態では、電子機器１として車載機器を例にとって説明したが、これはこの例に限られない。例えば、表示領域が小さい機器であれば、どのような機器に対しても適用可能である。
【図面の簡単な説明】
【００７６】
【図１】Ｂｌｕｅｔｏｏｔｈの接続方式について説明する略線図である。
【図２】Ｂｌｕｅｔｏｏｔｈ接続における電子機器の状態遷移を示す略線図である。
【図３】この発明の実施の一形態による電子機器の一例の構成を示すブロック図である。
【図４】操作パネルの一例の外観を示す略線図である。
【図５】電子機器に対してＢｌｕｅｔｏｏｔｈ機器を最初に接続する際の処理の流れを示すフローチャートである。
【図６】電子機器に対してＢｌｕｅｔｏｏｔｈ機器を優先的に接続する際の処理の流れを示すフローチャートである。
【図７】表示部の一例の表示を示す略線図である。
【符号の説明】
【００７７】
１  電子機器
１３  Ｂｌｕｅｔｏｏｔｈモジュール
２１  制御部
２２  ＥＥＰＲＯＭ
２３  操作部
２４  表示部
４０  操作パネル
４１  プリセットボタン
４２  ソースボタン
４３  モードボタン
【図１】
2008124776.tif 000003
【図２】
2008124776.tif 000004
【図３】
2008124776.tif 000005
【図４】
2008124776.tif 000006
【図５】
2008124776.tif 000007
【図６】
2008124776.tif 000008
【図７】
2008124776.tif 000009